(57)【要約】本開示は、電子デバイスを覚醒させる方法および装置に関する。本方法は、覚醒させるべき電子デバイスと同じ対象ローカルエリアネットワーク内にある対象電子デバイスを取得するステップと、対象電子デバイスに覚醒指令を送信するステップであって、対象電子デバイスが、覚醒指令にしたがって、覚醒させるべき電子デバイスを覚醒させるための覚醒メッセージを対象ローカルエリアネットワークにブロードキャストするステップと、を備える。本開示は、ハイバネーションモードに入っている覚醒させるべき電子デバイスを電子デバイスによってリモートにて覚醒させることができ、便利さが大幅に向上する。
2017537483.tif 000002
【特許請求の範囲】
【請求項１】
覚醒させるべき電子デバイスと同じ対象ローカルエリアネットワーク内にある対象電子デバイスを取得するステップと、
前記対象電子デバイスに覚醒指令を送信するステップであって、前記対象電子デバイスが、前記覚醒指令にしたがって、前記覚醒させるべき電子デバイスを覚醒させるための覚醒メッセージを前記対象ローカルエリアネットワークにブロードキャストするステップと、を備える、電子デバイスを覚醒させる方法。
【請求項２】
前記覚醒させるべき電子デバイスと同じ対象ローカルエリアネットワーク内にある前記対象電子デバイスを取得するステップは、
前記覚醒させるべき電子デバイスを覚醒させるための覚醒ボタンの選択が検出されたことに応じて、前記対象電子デバイスを取得するステップを含む、請求項１に記載の方法。
【請求項３】
前記覚醒ボタンは、前記覚醒させるべき電子デバイスのインターフェースを制御するための仮想ボタンである、請求項２に記載の方法。
【請求項４】
前記覚醒させるべき電子デバイスと同じ対象ローカルエリアネットワーク内にある前記対象電子デバイスを取得するステップは、
前記覚醒させるべき電子デバイスを覚醒させるためのアイコンにおける接触情報の存在が検出されたことに応じて、前記対象電子デバイスを取得するステップを含む、請求項１に記載の方法。
【請求項５】
前記アイコンは、前記覚醒させるべき電子デバイスのインターフェースを制御するための仮想スライダアイコンである、請求項４に記載の方法。
【請求項６】
前記覚醒させるべき電子デバイスと同じ対象ローカルエリアネットワーク内にある前記対象電子デバイスを取得するステップは、
ローカルエリアネットワークと前記ローカルエリアネットワークにアクセスしている電子デバイスとの間における予め保持された対応関係にしたがって、前記覚醒させるべき電子デバイスによりアクセスされている前記対象ローカルエリアネットワークを決定するステップと、
前記対応関係にしたがって、前記対象ローカルエリアネットワークにアクセスしている前記対象電子デバイスを取得するステップと、を含む、請求項１に記載の方法。
【請求項７】
覚醒させるべき電子デバイスを覚醒させるための覚醒指令を受信するステップと、
前記覚醒指令にしたがって覚醒メッセージを作成するステップと、
現在の対象ローカルエリアネットワークに前記覚醒メッセージをブロードキャストするステップであって、同じ前記対象ローカルエリアネットワーク内の前記覚醒させるべき電子デバイスが、前記覚醒メッセージを受信した後、覚醒処理を実行するステップと、を備える、電子デバイスを覚醒させる方法。
【請求項８】
前記覚醒メッセージは、ワイヤレス・フィデリティ（Wi-Fi）覚醒メッセージである、請求項７に記載の方法。
【請求項９】
ハイバネーションモードに入った後、対象電子デバイスにより送信された覚醒メッセージを受信するステップと、
前記覚醒メッセージにしたがって覚醒処理を実行するステップと、を備え、
覚醒させるべき電子デバイスは、前記対象電子デバイスと同じ対象ローカルエリアネットワーク内にあり、前記覚醒メッセージは、前記対象電子デバイスが覚醒指令を受信した後、前記対象ローカルエリアネットワークにブロードキャストされるメッセージである、電子デバイスを覚醒させる方法。
【請求項１０】
前記対象電子デバイスにより送信された前記覚醒メッセージを受信するステップは、
前記覚醒させるべき電子デバイスのWi-Fiチップを介して、前記対象電子デバイスにより送信された前記覚醒メッセージを受信するステップを含む、請求項９に記載の方法。
【請求項１１】
前記覚醒処理を実行するステップは、
前記覚醒させるべき電子デバイスの主マイクロコントローラユニット（MCU）チップを覚醒させるステップを含む、請求項９に記載の方法。
【請求項１２】
覚醒させるべき電子デバイスと同じ対象ローカルエリアネットワーク内の対象電子デバイスを取得する取得モジュールと、
前記取得モジュールにより取得された前記対象電子デバイスに覚醒指令を送信する送信モジュールと、を備え、
前記対象電子デバイスは、前記覚醒指令にしたがって、前記覚醒させるべき電子デバイスを覚醒させるための覚醒メッセージを、前記対象ローカルエリアネットワークにブロードキャストする、電子デバイスを覚醒させる装置。
【請求項１３】
前記取得モジュールは、前記覚醒させるべき電子デバイスを覚醒させるための覚醒ボタンの選択が検出されたことに応じて、前記対象電子デバイスを取得する第１取得サブモジュールを備える、請求項１２に記載の装置。
【請求項１４】
前記覚醒ボタンは、前記覚醒させるべき電子デバイスのインターフェースを制御するための仮想ボタンである、請求項１３に記載の装置。
【請求項１５】
前記取得モジュールは、前記覚醒させるべき電子デバイスを覚醒させるためのアイコンにおける接触情報の存在が検出されたことに応じて、前記対象電子デバイスを取得する第２取得サブモジュールを備える、請求項１２に記載の装置。
【請求項１６】
前記アイコンは、前記覚醒させるべき電子デバイスのインターフェースを制御するための仮想スライダアイコンである、請求項１５に記載の装置。
【請求項１７】
前記取得モジュールは、
ローカルエリアネットワークと前記ローカルエリアネットワークにアクセスしている電子デバイスとの間における予め保持された対応関係にしたがって、前記覚醒させるべき電子デバイスによりアクセスされている前記対象ローカルエリアネットワークを決定する決定サブモジュールと、
前記対応関係にしたがって、前記決定サブモジュールにより決定された前記対象ローカルエリアネットワークにアクセスしている前記対象電子デバイスを取得する第３取得サブモジュールと、を備える、請求項１２に記載の装置。
【請求項１８】
覚醒させるべき電子デバイスを覚醒させるための覚醒指令を受信する第１受信モジュールと、
前記第１受信モジュールにより受信された前記覚醒指令にしたがって、覚醒メッセージを作成する作成モジュールと、
前記作成モジュールにより作成された前記覚醒メッセージを、現在の対象ローカルエリアネットワークにブロードキャストするブロードキャストモジュールと、を備え、
同じ前記対象ローカルエリアネットワーク内の前記覚醒させるべき電子デバイスは、前記覚醒メッセージを受信した後、覚醒処理を実行する、電子デバイスを覚醒させる装置。
【請求項１９】
前記覚醒メッセージは、ワイヤレス・フィデリティ（Wi-Fi）覚醒メッセージである、請求項１８に記載の装置。
【請求項２０】
ハイバネーションモードに入った後、対象電子デバイスにより送信された覚醒メッセージを受信する第２受信モジュールと、
前記第２受信モジュールにより受信された前記覚醒メッセージにしたがって、覚醒処理を実行する実行モジュールと、を備え、
覚醒させるべき電子デバイスは、前記対象電子デバイスと同じ対象ローカルエリアネットワーク内にあり、前記覚醒メッセージは、前記対象電子デバイスが覚醒指令を受信した後、前記対象ローカルエリアネットワークにブロードキャストされるメッセージである、電子デバイスを覚醒させる装置。
【請求項２１】
前記第２受信モジュールは、前記覚醒させるべき電子デバイスのWi-Fiチップを介して、前記対象電子デバイスにより送信された前記覚醒メッセージを受信する受信サブモジュールを備える、請求項２０に記載の装置。
【請求項２２】
前記実行モジュールは、前記第２受信モジュールにより受信された前記覚醒メッセージにしたがって、前記覚醒させるべき電子デバイスの主マイクロコントローラユニット（MCU）チップを覚醒させる実行サブモジュールを備える、請求項２０に記載の装置。
【請求項２３】
プロセッサと、
前記プロセッサにより実行可能な指令を格納するメモリと、を備え、
前記プロセッサは、
覚醒されるべき電子デバイスと同じ対象ローカルエリアネットワーク内の対象電子デバイスを取得するステップと、
覚醒指令を前記対象電子デバイスに送信するステップであって、前記対象電子デバイスが、前記覚醒指令にしたがって、前記覚醒させるべき電子デバイスを覚醒させるための覚醒メッセージを、前記対象ローカルエリアネットワークにブロードキャストするステップと、を実行する、電子デバイスを覚醒させる装置。
【請求項２４】
プロセッサと、
前記プロセッサにより実行可能な指令を格納するメモリと、を備え、
前記プロセッサは、
覚醒させるべき電子デバイスを覚醒させるための覚醒指令を受信するステップと、
前記覚醒指令にしたがって覚醒メッセージを作成するステップと、
現在の対象ローカルエリアネットワークに前記覚醒メッセージをブロードキャストするステップであって、同じ前記対象ローカルエリアネットワーク内にある前記覚醒させるべき電子デバイスが、前記覚醒メッセージを受信した後、覚醒処理を実行するステップと、を実行する、電子デバイスを覚醒させる装置。
【請求項２５】
プロセッサと、
前記プロセッサにより実行可能な指令を格納するメモリと、を備え、
前記プロセッサは、
ハイバネーションモードに入った後、対象電子デバイスにより送信された覚醒メッセージを受信するステップと、
前記覚醒メッセージにしたがって覚醒処理を実行するステップと、を実行し、
覚醒させるべき電子デバイスは、対象電子デバイスと同じ対象ローカルエリアネットワーク内にあり、前記覚醒メッセージは、前記対象電子デバイスが、覚醒指令を受信した後、前記対象ローカルエリアネットワークにブロードキャストされるメッセージである、電子デバイスを覚醒させる装置。
【発明の詳細な説明】
【技術分野】
【０００１】
（関連出願の相互参照）
本出願は、２０１５年８月２８日に中華人民共和国国家知識産権局に出願された中国特許出願：出願番号２０１５１０５４２９４９．９に基づいて優先権を主張するものであり、その中国特許出願の全内容が参照により本願明細書に援用される。
【０００２】
本開示は、通信技術に関し、より具体的には、電子デバイスを覚醒させる方法および電子デバイスを覚醒させる装置に関する。
【背景技術】
【０００３】
現在、インテリジェントテレビは、自身のワイヤレス・フィデリティ（Wi-Fi）モジュールを介してローカルエリアネットワークにアクセスして、インターネット動画を取得できる。ユーザは、様々な方式、例えば、赤外線リモコン、ブルートゥースリモコンにてテレビを制御できる。関連する技術において、インテリジェント端末にインストールされたスマートホームアプリケーションが、Wi-Fiモジュールを制御することによりインテリジェントテレビを制御できる。
【０００４】
一般的なWi-Fiモジュールは、Wi-Fiチップと、主マイクロコントローラユニット（MCU）チップとを有する。しかしながら、インテリジェントテレビがハイバネーションモードに入っているとき、電力消費量を低減するために、主MCUチップはハイバネーションモードに入り、Wi-Fiチップは低電力モードに入ってＷｉ−Ｆｉチップの作動を停止させる。このような場合には、ユーザは、スマートホームアプリケーションを介してリモートでインテリジェントテレビを立ち上げることができず、不便である。
【発明の概要】
【０００５】
したがって、本開示の態様は、ハイバネーションモードにある電子デバイスをリモートにて覚醒させることができないという不便さを解消できる、電子デバイスを覚醒させる方法および電子デバイスを覚醒させる装置を提供する。
【０００６】
本開示の第１態様によれば、
覚醒させるべき電子デバイスと同じ対象ローカルエリアネットワーク内にある対象電子デバイスを取得するステップと、
前記対象電子デバイスに覚醒指令を送信するステップであって、前記対象電子デバイスが、前記覚醒指令にしたがって、前記覚醒させるべき電子デバイスを覚醒させるための覚醒メッセージを前記対象ローカルエリアネットワークにブロードキャストするステップと、を備える、電子デバイスを覚醒させる方法を提供する。
【０００７】
また、前記覚醒させるべき電子デバイスと同じ対象ローカルエリアネットワーク内にある前記対象電子デバイスを取得するステップは、
前記覚醒させるべき電子デバイスを覚醒させるための覚醒ボタンの選択が検出されたことに応じて、前記対象電子デバイスを取得するステップを含む、ようにしてもよい。
【０００８】
また、前記覚醒ボタンは、前記覚醒させるべき電子デバイスのインターフェースを制御するための仮想ボタンである、としてもよい。
【０００９】
また、前記覚醒させるべき電子デバイスと同じ対象ローカルエリアネットワーク内にある前記対象電子デバイスを取得するステップは、
前記覚醒させるべき電子デバイスを覚醒させるためのアイコンにおける接触情報の存在が検出されたことに応じて、前記対象電子デバイスを取得するステップを含む、ようにしてもよい。
【００１０】
また、前記アイコンは、前記覚醒させるべき電子デバイスのインターフェースを制御するための仮想スライダアイコンである、としてもよい。
【００１１】
また、前記覚醒させるべき電子デバイスと同じ対象ローカルエリアネットワーク内にある前記対象電子デバイスを取得するステップは、
ローカルエリアネットワークと前記ローカルエリアネットワークにアクセスしている電子デバイスとの間における予め保持された対応関係にしたがって、前記覚醒させるべき電子デバイスによりアクセスされている前記対象ローカルエリアネットワークを決定するステップと、
前記対応関係にしたがって、前記対象ローカルエリアネットワークにアクセスしている前記対象電子デバイスを取得するステップと、を含む、ようにしてもよい。
【００１２】
本開示の第２態様によれば、
覚醒させるべき電子デバイスを覚醒させるための覚醒指令を受信するステップと、
前記覚醒指令にしたがって覚醒メッセージを作成するステップと、
現在の対象ローカルエリアネットワークに前記覚醒メッセージをブロードキャストするステップであって、同じ前記対象ローカルエリアネットワーク内の前記覚醒させるべき電子デバイスが、前記覚醒メッセージを受信した後、覚醒処理を実行するステップと、を備える、電子デバイスを覚醒させる方法を提供する。
【００１３】
また、前記覚醒メッセージは、Wi-Fi覚醒メッセージである、としてもよい。
【００１４】
本開示の第３態様によれば、
ハイバネーションモードに入った後、対象電子デバイスにより送信された覚醒メッセージを受信するステップと、
前記覚醒メッセージにしたがって覚醒処理を実行するステップと、を備え、
覚醒させるべき電子デバイスは、前記対象電子デバイスと同じ対象ローカルエリアネットワーク内にあり、前記覚醒メッセージは、前記対象電子デバイスが覚醒指令を受信した後、前記対象ローカルエリアネットワークにブロードキャストされるメッセージである、電子デバイスを覚醒させる方法を提供する。
【００１５】
また、前記対象電子デバイスにより送信された前記覚醒メッセージを受信するステップは、
前記覚醒させるべき電子デバイスのWi-Fiチップを介して、前記対象電子デバイスにより送信された前記覚醒メッセージを受信するステップを含む、ようにしてもよい。
【００１６】
また、前記覚醒処理を実行するステップは、
前記覚醒させるべき電子デバイスの主MCUチップを覚醒させるステップを含む、ようにしてもよい。
【００１７】
本開示の第４態様によれば、
覚醒させるべき電子デバイスと同じ対象ローカルエリアネットワーク内の対象電子デバイスを取得する取得モジュールと、
前記取得モジュールにより取得された前記対象電子デバイスに覚醒指令を送信する送信モジュールと、を備え、
前記対象電子デバイスは、前記覚醒指令にしたがって、前記覚醒させるべき電子デバイスを覚醒させるための覚醒メッセージを、前記対象ローカルエリアネットワークにブロードキャストする、電子デバイスを覚醒させる装置を提供する。
【００１８】
また、前記取得モジュールは、前記覚醒させるべき電子デバイスを覚醒させるための覚醒ボタンの選択が検出されたことに応じて、前記対象電子デバイスを取得する第１取得サブモジュールを備える、としてもよい。
【００１９】
また、前記覚醒ボタンは、前記覚醒させるべき電子デバイスのインターフェースを制御するための仮想ボタンである、としてもよい。
【００２０】
また、前記取得モジュールは、前記覚醒させるべき電子デバイスを覚醒させるためのアイコンにおける接触情報の存在が検出されたことに応じて、前記対象電子デバイスを取得する第２取得サブモジュールを備える、としてもよい。
【００２１】
また、前記アイコンは、前記覚醒させるべき電子デバイスのインターフェースを制御するための仮想スライダアイコンである、としてもよい。
【００２２】
また、前記取得モジュールは、
ローカルエリアネットワークと前記ローカルエリアネットワークにアクセスしている電子デバイスとの間における予め保持された対応関係にしたがって、前記覚醒させるべき電子デバイスによりアクセスされている前記対象ローカルエリアネットワークを決定する決定サブモジュールと、
前記対応関係にしたがって、前記決定サブモジュールにより決定された前記対象ローカルエリアネットワークにアクセスしている前記対象電子デバイスを取得する第３取得サブモジュールと、を備える、としてもよい。
【００２３】
本開示の第５態様によれば、
覚醒させるべき電子デバイスを覚醒させるための覚醒指令を受信する第１受信モジュールと、
前記第１受信モジュールにより受信された前記覚醒指令にしたがって、覚醒メッセージを作成する作成モジュールと、
前記作成モジュールにより作成された前記覚醒メッセージを、現在の対象ローカルエリアネットワークにブロードキャストするブロードキャストモジュールと、を備え、
同じ前記対象ローカルエリアネットワーク内の前記覚醒させるべき電子デバイスは、前記覚醒メッセージを受信した後、覚醒処理を実行する、電子デバイスを覚醒させる装置を提供する。
【００２４】
また、前記覚醒メッセージは、Wi-Fi覚醒メッセージである、としてもよい。
【００２５】
本開示の第６態様によれば、
ハイバネーションモードに入った後、対象電子デバイスにより送信された覚醒メッセージを受信する第２受信モジュールと、
前記第２受信モジュールにより受信された前記覚醒メッセージにしたがって、覚醒処理を実行する実行モジュールと、を備え、
覚醒させるべき電子デバイスは、前記対象電子デバイスと同じ対象ローカルエリアネットワーク内にあり、前記覚醒メッセージは、前記対象電子デバイスが覚醒指令を受信した後、前記対象ローカルエリアネットワークにブロードキャストされるメッセージである、電子デバイスを覚醒させる装置を提供する。
【００２６】
また、前記第２受信モジュールは、前記覚醒させるべき電子デバイスのWi-Fiチップを介して、前記対象電子デバイスにより送信された前記覚醒メッセージを受信する受信サブモジュールを備える、としてもよい。
【００２７】
また、前記実行モジュールは、前記第２受信モジュールにより受信された前記覚醒メッセージにしたがって、前記覚醒させるべき電子デバイスの主MCUチップを覚醒させる実行サブモジュールを備える、としてもよい。
【００２８】
本開示の第７態様によれば、
プロセッサと、
前記プロセッサにより実行可能な指令を格納するメモリと、を備え、
前記プロセッサは、
覚醒されるべき電子デバイスと同じ対象ローカルエリアネットワーク内の対象電子デバイスを取得するステップと、
覚醒指令を前記対象電子デバイスに送信するステップであって、前記対象電子デバイスが、前記覚醒指令にしたがって、前記覚醒させるべき電子デバイスを覚醒させるための覚醒メッセージを、前記対象ローカルエリアネットワークにブロードキャストするステップと、を実行する、電子デバイスを覚醒させる装置を提供する。
【００２９】
本開示の第８態様によれば、
プロセッサと、
前記プロセッサにより実行可能な指令を格納するメモリと、を備え、
前記プロセッサは、
覚醒させるべき電子デバイスを覚醒させるための覚醒指令を受信するステップと、
前記覚醒指令にしたがって覚醒メッセージを作成するステップと、
現在の対象ローカルエリアネットワークに前記覚醒メッセージをブロードキャストするステップであって、同じ前記対象ローカルエリアネットワーク内にある前記覚醒させるべき電子デバイスが、前記覚醒メッセージを受信した後、覚醒処理を実行するステップと、を実行する、電子デバイスを覚醒させる装置を提供する。
【００３０】
本開示の第９態様によれば、
プロセッサと、
前記プロセッサにより実行可能な指令を格納するメモリと、を備え、
前記プロセッサは、
ハイバネーションモードに入った後、対象電子デバイスにより送信された覚醒メッセージを受信するステップと、
前記覚醒メッセージにしたがって覚醒処理を実行するステップと、を実行し、
覚醒させるべき電子デバイスは、対象電子デバイスと同じ対象ローカルエリアネットワーク内にあり、前記覚醒メッセージは、前記対象電子デバイスが、覚醒指令を受信した後、前記対象ローカルエリアネットワークにブロードキャストされるメッセージである、電子デバイスを覚醒させる装置を提供する。
【００３１】
本開示の態様によれば、技術的解決手段は以下のような有利な効果を奏する。
【００３２】
本開示の態様において、電子デバイスが、ハイバネーションモードに入っている覚醒させるべき電子デバイスを検出すると、電子デバイスは、覚醒させるべき電子デバイスと同じ対象ローカルエリアネットワーク内にある対象電子デバイスを取得し、対象電子デバイスに対して覚醒指令を送信する。対象電子デバイスは、この覚醒指令にしたがって、覚醒させるべき電子デバイスを覚醒させるための覚醒メッセージを対象ローカルエリアネットワークにブロードキャストする。このようなプロセスを通じて、電子デバイスが、ハイバネーションモードに入っている覚醒させるべき電子デバイスをリモートにて覚醒させることができ、便利さが大幅に向上する。
【００３３】
本開示の態様において、ローカルエリアネットワークとローカルエリアネットワークにアクセスしている電子デバイスとの間における対応関係が、電子デバイスにより予め保持されてもよい。電子デバイスは、この対応関係にしたがって対象ローカルエリアネットワークにアクセスしている対象電子デバイスを取得してもよい。これにより、電子デバイスは、対象電子デバイスに覚醒指令を送信して、ハイバネーションモードに入っている覚醒させるべき電子デバイスをリモートにて覚醒させるという目的を達成でき、便利さが大幅に向上する。
【００３４】
本開示の態様において、覚醒させるべき電子デバイスのWi-Fiチップが、対象ローカルエリアネットワークを介して対象電子デバイスによりブロードキャストされた覚醒メッセージを受信してもよい。受信した覚醒メッセージにしたがって覚醒させるべき電子デバイスの主MCUチップを覚醒させてもよい。これにより、ハイバネーションモードに入っている覚醒させるべき電子デバイスをリモートにて覚醒させるという目的を達成でき、便利さが大幅に向上する。
【００３５】
上述した一般的な記述と以降の詳細な記載とは例示的なものであって、説明のためだけのものであり、これらの記載は本開示を限定するものではない。
【図面の簡単な説明】
【００３６】
添付の図面は、本明細書に取り込まれて本明細書の一部を構成し、記載とともに本開示に一致する態様を示し、本開示の原理を説明するのに役立つものである。
【図１】本開示の例示的な実施の形態にかかる電子デバイスを覚醒させる方法を示すフローチャート
【図２】本開示の例示的な実施の形態にかかる電子デバイスを覚醒させる方法の別の形態を示すフローチャート
【図３】本開示の例示的な実施の形態にかかる電子デバイスを覚醒させる方法の別の形態を示すフローチャート
【図４】本開示の例示的な実施の形態にかかる電子デバイスを覚醒させる方法の別の形態を示すフローチャート
【図５】本開示の例示的な実施の形態にかかる電子デバイスを覚醒させる方法の別の形態を示すフローチャート
【図６Ａ】本開示の例示的な実施の形態にかかる電子デバイスを覚醒させる状態を示す模式図
【図６Ｂ】本開示の例示的な実施の形態にかかる電子デバイスを覚醒させる状態を示す模式図
【図６Ｃ】本開示の例示的な実施の形態にかかる電子デバイスを覚醒させる状態を示す模式図
【図７】本開示の例示的な実施の形態にかかる電子デバイスを覚醒させる装置のブロック図
【図８】本開示の例示的な実施の形態にかかる電子デバイスを覚醒させる装置の別の形態を示すブロック図
【図９】本開示の例示的な実施の形態にかかる電子デバイスを覚醒させる装置の別の形態を示すブロック図
【図１０】本開示の例示的な実施の形態にかかる電子デバイスを覚醒させる装置の別の形態を示すブロック図
【図１１】本開示の例示的な実施の形態にかかる電子デバイスを覚醒させる装置の別の形態を示すブロック図
【図１２】本開示の例示的な実施の形態にかかる電子デバイスを覚醒させる装置の別の形態を示すブロック図
【図１３】本開示の例示的な実施の形態にかかる電子デバイスを覚醒させる装置の別の形態を示すブロック図
【図１４】本開示の例示的な実施の形態にかかる電子デバイスを覚醒させる装置の別の形態を示すブロック図
【図１５】本開示の例示的な実施の形態にかかる電子デバイスを覚醒させる装置のブロック図
【発明を実施するための形態】
【００３７】
添付図面に示されている例示的な実施の形態、実施例を詳細に参照する。以下の説明は、添付図面を参照し、異なる図面における同一の数字は、特に示さない限り、同一または類似の要素を表す。例示的な実施の形態の以下の説明にて記載されている実施例は、本開示と合致する全ての実施例を表すものではない。むしろ、それらは、添付の特許請求の範囲に記載する本開示に関連する態様と合致する装置および方法の単なる例示にすぎない。
【００３８】
本開示の記載において用いられる用語は、特定の実施の形態を記載することのみを目的とするものであり、本開示を限定して解釈するものではない。本開示の記載および添付の特許請求の範囲において用いられる単数表現での形態は、特に示さない限り複数の形態も含む。また、ここで用いられる「および／または」の用語は、挙げられた構成の１つまたは１つ以上からなるいずれか１つまたは全ての組み合わせを表し、含むものである。
【００３９】
「第１」、「第２」および「第３」のように用いられる用語は、本開示における様々な情報を記載するために用いられ、それぞれの情報は、互いに同じ種類の情報から区別するために用いられる用語であるとは限られない。本開示の範囲から離れない限度において、例えば、第１情報を第２情報としてもよく、同様に第２情報を第１情報としてもよい。ここで用いられるように、文脈にしたがって、「もし」の用語は、「とき」、「際に」または「決定に応じて」と解釈してもよい。
【００４０】
本開示の例示的な実施の形態にかかる電子デバイスを覚醒させる方法のフローチャートである図１に示すように、本方法は以下のステップを含む。
【００４１】
ステップ１０１において、覚醒させるべき電子デバイスと同じ対象ローカルエリアネットワーク内にある対象電子デバイスを取得する。
【００４２】
本開示の実施の形態における電子デバイスは、例えば、スマートフォン、タブレットコンピュータ、および携帯情報端末（PAD）のような様々なインテリジェント端末であってもよい。覚醒されるべき電子デバイスは、例えば、インテリジェントテレビのようなWi-Fiモジュールを有するインテリジェント端末であってもよい。
【００４３】
また、以下の方法のいずれかにより、取得する対象電子デバイスを決定することができる。
【００４４】
第１の方法では、覚醒ボタンが選択された後、取得する対象電子デバイスを電子デバイスが決定する。
【００４５】
ステップ１０１は、覚醒させるべき電子デバイスを覚醒させるための覚醒ボタンの選択が検出されたことに応じて、対象電子デバイスを取得するステップ１０１−１を含んでもよい。
【００４６】
ステップ１０１−１において、関連技術を用いて覚醒ボタンが選択されたかどうかを、電子デバイスが検出してもよい。あるいは、覚醒ボタンは、覚醒させるべき電子デバイスのインターフェースを制御するための仮想ボタンである。覚醒ボタンが選択されると、電子デバイスは、覚醒させるべき電子デバイスと同じローカルエリアネットワーク内にある対象電子デバイスを取得する。
【００４７】
第2の方法では、アイコンがクリックされた後、取得する対象電子デバイスを電子デバイスが決定する。
【００４８】
ステップ１０１は、覚醒させるべき電子デバイスを覚醒させるためのアイコンにおける接触情報の存在が検出されたことに応じて、対象電子デバイスを取得するステップ１０１−１’を含んでもよい。
【００４９】
ステップ１０１−１’において、ユーザは、電子デバイスにて予め設定されたアイコンをクリックしてもよい。あるいは、アイコンは、覚醒させるべき電子デバイスのインターフェースを制御するための仮想スライダアイコンである。電子デバイスがアイコンにおける接触情報の存在を検出すると、対象電子デバイスを取得することが必要となる。
【００５０】
本開示の実施の形態において、対象電子デバイスを取得するプロセスを、図２にさらに示す。図２は、本開示の例示的な実施の形態における電子デバイスを覚醒させる別の方法の形態を示すフローチャートである。本方法は、以下のステップを含む。
【００５１】
ステップ１０１−１”において、覚醒させるべき電子デバイスによりアクセスされている対象ローカルエリアネットワークが、ローカルエリアネットワークとローカルエリアネットワークにアクセスしている電子デバイスとの間における予め保持された対応関係にしたがって決定される。
【００５２】
このステップにおいて、電子デバイスは、ローカルエリアネットワークとローカルエリアネットワークに予めアクセスしている電子デバイスとの間の対応関係を保持する。電子デバイスは、予め保持された対応関係にしたがって、覚醒させるべき電子デバイスによりアクセスされている対象ローカルエリアネットワークをまず決定する。
【００５３】
ステップ１０１−２”において、対象ローカルエリアネットワークにアクセスしている対象電子デバイスが対応関係にしたがって取得される。
【００５４】
対象ローカルエリアネットワークが決定された後、対象ローカルエリアネットワークにアクセスしている対象電子デバイスが、対応関係にしたがってさらに取得される。
【００５５】
ステップ１０２において、覚醒指令が対象電子デバイスに送信され、対象電子デバイスは、覚醒指令にしたがって、覚醒させるべき電子デバイスを覚醒させるための覚醒メッセージを対象ローカルエリアネットワークにブロードキャストする。
【００５６】
本ステップにおいて、電子デバイスは、対象電子デバイスを取得した後、関連技術を用いて覚醒指令を作成して、対象電子デバイスに覚醒指令を送信する。
【００５７】
対象電子デバイスは、受信した覚醒指令にしたがって、関連技術を用いて覚醒メッセージを作成する。あるいは、覚醒メッセージは、関連技術において低電力モードに入っているWi-Fiチップによって受信されたWi-Fi覚醒メッセージである。対象電子デバイスは、覚醒メッセージを対象ローカルエリアネットワークにブロードキャストして、覚醒させるべき電子デバイスがWi-Fi覚醒メッセージを確実に受信するようにしてもよい。
【００５８】
覚醒させるべき電子デバイスがハイバネーションモードに入った後、その主MCUチップがハイバネーションモードに入り、そのWi-Fiチップが低電力モードに入る。覚醒させるべき電子デバイスの主MCUチップには、覚醒されるそれ自身のメカニズムが設定されている。例えば、電子デバイスのWi-FiチップがWi-Fi覚醒メッセージを受信するまで、主MCUチップが覚醒しないようにしてもよい。覚醒させるべき電子デバイスは、対象電子デバイスによってブロードキャストされた覚醒メッセージを、Wi-Fiチップを介して同じローカルエリアネットワークにて受信してもよい。これにより、覚醒メッセージにしたがって主MCUが覚醒される。
【００５９】
上述のプロセスは、予め電子デバイスにインストールされたデバイス制御アプリケーションによって実現されてもよい。デバイス制御アプリケ−ションは、電子デバイスのデバイス識別子によってログインされる。仮想覚醒ボタンが選択されたこと、または、仮想スライダアイコンがクリックされたことを、デバイス制御アプリケーションが検出すると、覚醒させるべき電子デバイスがアクセスしている対象ローカルネットワークが、予め保持された対応関係にしたがってまず決定される。そして、対象ローカルネットワークにアクセスしている対象電子デバイスが、対応関係にしたがって取得される。
【００６０】
デバイス制御アプリケーションは、関連技術を用いて、覚醒指令を作成して対象電子デバイスに覚醒指令を送信する。対象電子デバイスは、覚醒指令にしたがって、関連技術を用いてWi-Fi覚醒メッセージを作成し、Wi-Fi覚醒メッセージをブロードキャストして、覚醒させるべき電子デバイスがWi-Fi覚醒メッセージを確実に受信できるようにする。覚醒させるべき電子デバイスのWi-Fiチップは、対象電子デバイスによりブロードキャストされたWi-Fi覚醒メッセージを受信した後、覚醒メッセージにしたがって自身の主MCUチップを覚醒させる。
【００６１】
上述の実施の形態において、ハイバネーションモードから覚醒させるべき電子デバイスを覚醒させる必要性を電子デバイスが検出すると、電子デバイスは、覚醒させるべき電子デバイスと同じ対象ローカルエリアネットワークにある対象電子デバイスを取得する。そして、電子デバイスは、対象電子デバイスに覚醒指令を送信する。覚醒指令にしたがって覚醒させるべき電子デバイスを覚醒させる覚醒メッセージを、対象電子デバイスが対象ローカルエリアネットワークにブロードキャストする。上述のプロセスは、ハイバネーションモードから覚醒させるべき電子デバイスをリモートにて覚醒させるという目的で実行され、便利さが大幅に向上する。
【００６２】
本開示の例示的な実施の形態にかかる電子デバイスを覚醒させる方法の別の形態を示すフローチャートを図３に示す。本方法は以下のステップを含む。
【００６３】
ステップ３０１において、覚醒させるべき電子デバイスを覚醒させるための覚醒指令が受信される。
【００６４】
このステップにおいて、対象デバイスは、関連技術を用いて電子デバイスにより送信された覚醒指令を受信してもよい。
【００６５】
ステップ３０２において、覚醒メッセージが、覚醒指令にしたがって作成される。
【００６６】
対象電子デバイスは、受信した覚醒指令にしたがって関連技術を用いて覚醒メッセージを作成する。あるいは、関連技術において、覚醒メッセージはWi-Fi覚醒メッセージであり、覚醒させるべき電子デバイスのWi-Fiチップは、低電力モードであったとしてもWi-Fi覚醒メッセージを受信することができる。
【００６７】
ステップ３０３において、現在の対象ローカルエリアネットワークにおいて覚醒メッセージがブロードキャストされ、同じ対象ローカルエリアネットワーク内の覚醒させるべき電子デバイスが、覚醒メッセージを受信した後、覚醒処理を実行する。
【００６８】
覚醒させるべき電子デバイスがWi-Fi覚醒メッセージを受信することを確実にするために、対象電子デバイスは、現在の対象ローカルエリアネットワークにおいて覚醒メッセージをブロードキャストしてもよい。覚醒させるべき電子デバイスの主MCUチップは、そのWi-FiチップがWi-Fi覚醒メッセージを受信した後、Wi-Fi覚醒メッセージにしたがって覚醒される。
【００６９】
上述の実施の形態において、対象電子デバイスは、覚醒指令を受信し、自動的にWi-Fi覚醒メッセージを作成し、現在のローカルエリアネットワークにて覚醒メッセージをブロードキャストしてもよい。そして、同じローカルエリアネットワークにおける覚醒されるべき電子デバイスが覚醒メッセージを受信した後、覚醒させるべき電子デバイスの主MCUチップが覚醒される。上述のプロセスは、ハイバネーションモードから覚醒させるべき電子デバイスをリモートにて覚醒させるという目的を達成し、便利さが大幅に向上する。
【００７０】
本開示の例示的な実施の形態にかかる電子デバイスを覚醒させる方法の別の態様のフローチャートを図４に示す。本方法は以下のステップを含む。
【００７１】
ステップ４０１において、ハイバネーションモードに入った後、対象電子デバイスにより覚醒メッセージが送信される。覚醒させるべき電子デバイスは、対象電子デバイスと同じ対象ローカルエリアネットワーク内にある。覚醒メッセージは、対象電子デバイスが覚醒指令を受信した後、対象ローカルエリアネットワーク内にブロードキャストされるメッセージである。
【００７２】
このステップにおいて、上述の方法にて覚醒されるべき電子デバイスと同じ対象ローカルエリアネットワーク内の対象電子デバイスに、電子デバイスは覚醒指令を送信する。対象電子デバイスは、覚醒指令にしたがって覚醒メッセージを作成し、対象ローカルエリアネットワーク内に覚醒メッセージをブロードキャストする。
【００７３】
覚醒させるべき電子デバイスがハイバネーションモードに入っているため、低電力モードとなっている覚醒させるべき電子デバイスのWi-Fiチップへメッセージを送信するようにしてもよい。あるいは、覚醒メッセージはWi-Fi覚醒メッセージであってもよい。それに応じて、ステップ４０１は、対象電子デバイスにより送信されるWi-Fi覚醒メッセージを、覚醒させるべき電子デバイスのWi-Fiチップを介して受信するステップ４０１−１を含んでもよい。
【００７４】
覚醒させるべき電子デバイスのWi-Fiチップは、関連技術を用いてWi-Fi覚醒メッセージを受信し、続くステップにて覚醒処理が行われてもよい。
【００７５】
ステップ４０２において、覚醒処理が覚醒メッセージにしたがって実行される。
【００７６】
あるいは、ステップ４０２は、覚醒メッセージにしたがって覚醒させるべき電子デバイスの主MCUチップを覚醒させるステップ４０２−１を含んでもよい。
【００７７】
覚醒させるべき電子デバイスの主MCUチップには、覚醒されるそれ自身のメカニズムが予め設定されている。例えば、覚醒させるべき電子デバイスのWi-FiチップがWi-Fi覚醒メッセージを受信するまで、主MCUチップが覚醒しないようにしてもよい。このステップにおいて、Wi-Fiチップは、関連技術を用いて、覚醒メッセージにしたがって主MCUチップを覚醒させてもよい。これにより、覚醒させるべき電子デバイスが通常の作動を開始する。
【００７８】
上述の実施の形態において、覚醒させるべき電子デバイスのWi-Fiチップは、対象電子デバイスにより対象ローカルエリアネットワーク内にブロードキャストされた覚醒メッセージを受信してもよい。覚醒させるべき電子デバイスの主MCUが、受信した覚醒メッセージにしたがって覚醒される。したがって、覚醒させるべき電子デバイスを、ハイバネーションモードからリモートにて覚醒させることができ、便利さが大幅に向上する。
【００７９】
本開示の例示的な実施の形態にかかる電子デバイスを覚醒させる方法の別の態様のフローチャートを図５に示す。本方法は以下のステップを含む。
【００８０】
ステップ５０１において、デバイス制御アプリケーションが、電子デバイスのデバイス識別子によりログインされる。
【００８１】
このステップにおいて、電子デバイスに予めインストールされているデバイス制御アプリケーションは、関連技術を用いて、デバイス識別子（例えば、電話番号）によりログインされてもよい。
【００８２】
ステップ５０２において、覚醒させるべき電子デバイスを覚醒させる覚醒ボタンが選択されたかどうかが、デバイス制御アプリケーションにより検出される。覚醒ボタンが選択されると、ステップ５０３が実行される。そうでなければ、覚醒させるべき電子デバイスの覚醒処理が終了する。
【００８３】
デバイス制御アプリケーションがログインされた後、図６Ａに示すように、電子デバイスにより制御される全ての電子デバイスのリストがインターフェース上に表示される。ユーザは、上述のリストにおいて覚醒させるべき電子デバイスをクリックして、覚醒させるべき電子デバイスに対応した制御インターフェースを開いてもよい。図６Ｂに示すように、覚醒させるべき電子デバイスを制御するインターフェース上に仮想覚醒ボタンが表示される。電子デバイスは、関連技術を用いて、ユーザが覚醒ボタンを選択したかどうかを検出してもよい。覚醒ボタンが選択されると、電子デバイスを介してリモートにて覚醒させるべき電子デバイスを覚醒させたいというユーザの要望が確認され、ステップ５０３が実行される。
【００８４】
もちろん、他の方法にてステップが実行されてもよい。例えば、覚醒させるべき電子デバイスに対応する制御インターフェースが、電子デバイスにより開かれた後、図６Ｃに示すように、覚醒させるべき電子デバイスの制御インターフェース上に仮想スライダアイコンが表示されてもよい。電子デバイスは、関連技術を用いてスライダアイコンに接触情報があるかどうかを検出してもよい。接触情報が検出されると、電子デバイスを介してリモートにて覚醒させるべき電子デバイスを覚醒させたいというユーザの要望が確認され、ステップ５０３が実行される。
【００８５】
ステップ５０３において、ローカルエリアネットワークとローカルエリアネットワークにアクセスしている電子デバイスとの間にある予め保持された対応関係にしたがって、デバイス制御アプリケーションは、覚醒させるべき電子デバイスによりアクセスされている対象ローカルエリアネットワークを決定する。
【００８６】
ステップ５０４において、デバイス制御アプリケーションは、対応関係にしたがって対象ローカルエリアネットワークにアクセスしている対象電子デバイスを取得する。
【００８７】
ステップ５０５において、デバイス制御アプリケーションは、対象電子デバイスに覚醒指令を送信する。
【００８８】
このステップにおいて、電子デバイスは、関連技術を用いて覚醒指令を作成し、対象電子デバイスを取得した後、対象電子デバイスに覚醒指令を送信する。
【００８９】
ステップ５０６において、対象電子デバイスは、覚醒指令にしたがって覚醒メッセージを作成する。
【００９０】
あるいは、覚醒メッセージは、関連技術におけるWi-Fi覚醒メッセージであり、覚醒させるべき電子デバイスのWi-Fiチップは、省電力モードに入っていたとしても、Wi-Fi覚醒メッセージを受信することができる。
【００９１】
ステップ５０７において、対象デバイスは、現在の対象ローカルエリアネットワーク内に覚醒メッセージをブロードキャストする。
【００９２】
覚醒させるべき電子デバイスが覚醒メッセージを確実に受信するために、対象電子デバイスは、覚醒メッセージを現在の対象ローカルエリアネットワーク内にブロードキャストする。
【００９３】
ステップ５０８において、覚醒させるべき電子デバイスのWi-Fiチップが覚醒メッセージを受信した後、覚醒メッセージにしたがって主MCUチップが覚醒される。
【００９４】
覚醒させるべき電子デバイスの主MCUチップには、覚醒されるそれ自身のメカニズムが予め設定されている。例えば、覚醒させるべき電子デバイスのWi-FiチップがWi-Fi覚醒メッセージを受信するまで、主MCUチップが覚醒しないようにしてもよい。Wi-Fiチップは、Wi-Fi覚醒メッセージを受信した後、関連技術を用いて覚醒メッセージにしたがってMCUチップを覚醒させてもよい。そして、覚醒させるべき電子デバイスは通常の動作を開始してもよい。
【００９５】
上述のプロセスについてのさらなる例示形態を以下に示す。
【００９６】
ユーザは、電子デバイスのデバイス識別子により、電子デバイスに予めインストールされているデバイス制御アプリケーションにログインする。図６Ａに示すように、主制御インターフェースは、電子デバイスにより制御される全ての電子デバイスのリストを表示してもよい。ユーザは、上述のリスト内の覚醒させるべき電子デバイスをクリックして、覚醒させるべき電子デバイスに対応する制御インターフェースを開いてもよい。これにより、図６Ｂに示すように、覚醒させるべき電子デバイスを制御するためのインターフェース上に、仮想覚醒ボタンが表示される。電子デバイスは、関連技術を用いて、ユーザが覚醒ボタンを選択したかどうかを検出してもよい。あるいは、覚醒させるべき電子デバイスに対応する制御インターフェースをユーザが開いた後、図６Ｃに示すように、覚醒させるべき電子デバイスの制御インターフェース上に、仮想スライダアイコンが表示されてもよい。電子デバイスは、関連技術を用いてスライダアイコンにて接触情報が存在するかどうかを検出してもよい。
【００９７】
ユーザが覚醒ボタンを選択する、あるいはスライダアイコンをクリックすると、デバイス制御アプリケーションは、予め保持された対応関係にしたがって、覚醒させるべき電子デバイスによりアクセスされている対象ローカルエリアネットワークをまず決定する。そして、デバイス制御アプリケーションは、対応関係にしたがって対象ローカルエリアネットワークにアクセスしている対象電子デバイスを取得する。デバイス制御アプリケーションは、関連技術を用いて覚醒メッセージを作成し、対象電子デバイスに覚醒メッセージを送信する。対象電子デバイスは、覚醒指令にしたがって、関連技術を用いてWi-Fi覚醒メッセージを作成し、Wi-Fi覚醒メッセージを対象ローカルエリアネットワーク内にブロードキャストする。これにより、覚醒させるべき電子デバイスがWi-Fi覚醒メッセージを確実に受信できるようにする。覚醒させるべき電子デバイスのWi-Fiチップが、対象電子デバイスによりブロードキャストされたWi-Fi覚醒メッセージを受信した後、覚醒メッセージにしたがって主MCUチップが覚醒される。
【００９８】
上述の実施の形態において、覚醒させるべき電子デバイスをハイバネーションモードから覚醒させる必要性を電子デバイスが検出すると、電子デバイスは、覚醒させるべき電子デバイスと同じ対象ローカルエリアネットワーク内にある対象電子デバイスを取得し、覚醒指令を対象電子デバイスに送信する。そして、対象電子デバイスは、覚醒指令にしたがって、覚醒させるべき電子デバイスを覚醒させる覚醒メッセージを対象ローカルエリアネットワークにブロードキャストする。上述のプロセスは、覚醒させるべき電子デバイスをリモートにてハイバネーションモードから覚醒させるという目的を達成し、便利さが大幅に向上する。
【００９９】
これまでの電子デバイスを覚醒させる方法の形態に対応して、本開示は、電子デバイスを覚醒させる装置にかかる実施の形態をさらに提供する。
【０１００】
本開示の例示的な実施の形態にかかる電子デバイスを覚醒させる装置のブロック図を図７に示す。本装置は、取得モジュール７１０と、送信モジュール７２０とを備える。
【０１０１】
取得モジュール７１０は、覚醒させるべき電子デバイスと同じ対象ローカルエリアネットワークにある対象電子デバイスを取得するように構成されている。
【０１０２】
送信モジュール７２０は、取得モジュール７１０により取得された対象電子デバイスに覚醒指令を送信するように構成されている。対象電子デバイスは、覚醒指令にしたがって、覚醒させるべき電子デバイスを覚醒させる覚醒メッセージを、対象ローカルエリアネットワーク内にブロードキャストする。
【０１０３】
上述の実施の形態において、覚醒させるべき電子デバイスをハイバネーションモードから覚醒させる必要性を、電子デバイスが検出すると、電子デバイスは、覚醒させるべき電子デバイスと同じ対象ローカルエリアネットワーク内にある対象電子デバイスを取得する。そして、電子デバイスは覚醒指令を対象電子デバイスに送信する。対象電子デバイスは、覚醒指令にしたがって、覚醒させるべき電子デバイスを覚醒させるための覚醒メッセージを、対象ローカルエリアネットワークにブロードキャストする。上述のプロセスは、覚醒させるべき電子デバイスをリモートにてハイバネーションモードから覚醒させるという目的を達成し、便利さが大幅に向上する。
【０１０４】
本開示の例示的な実施の形態にかかる電子デバイスを覚醒させる装置の別の形態のブロック図を図８に示す。本実施の形態では、図７に示す実施の形態に基づいている。取得モジュール７１０は、第１取得サブモジュール７１１を備える。
【０１０５】
第１取得サブモジュール７１１は、覚醒させるべき電子デバイスを覚醒させるための覚醒ボタンの選択が検出されたことに応じて、対象電子デバイスを取得するように構成されている。
【０１０６】
上述の実施の形態において、覚醒ボタンは、覚醒させるべき電子デバイスのインターフェースを制御するための仮想ボタンである。
【０１０７】
本開示の例示的な実施の形態にかかる電子デバイスを覚醒させる装置の別の形態のブロック図を図９に示す。この実施の形態は、図７に示す実施の形態に基づいている。取得モジュール７１０は、第２取得サブモジュール７１２を備える。
【０１０８】
第２取得モジュール７１２は、覚醒させるべき電子デバイスを覚醒させるためのアイコンにおいて接触情報の存在が検出されたことに応じて、対象電子デバイスを取得するように構成されている。
【０１０９】
上述の実施の形態において、アイコンは、覚醒させるべき電子デバイスのインターフェースを制御するための仮想スライダアイコンである。
【０１１０】
本開示の例示的な実施の形態にかかる電子デバイスを覚醒させる装置の別の形態のブロック図を図１０に示す。この実施の形態は、図７に示す実施の形態に基づいている。取得モジュール７１０は、決定サブモジュール７１３と、第３取得サブモジュール７１４とを備える。
【０１１１】
決定サブモジュール７１３は、ローカルエリアネットワークとローカルエリアネットワークにアクセスしている電子デバイスとの間における予め保持された対応関係にしたがって、覚醒させるべき電子デバイスがアクセスしている対象ローカルエリアネットワークを決定するように構成されている。
【０１１２】
第３取得サブモジュール７１４は、対応関係にしたがって、決定サブモジュール７１３によって決定された対象ローカルエリアネットワークにアクセスしている対象電子デバイスを取得するように構成されている。
【０１１３】
上述の実施の形態において、仮想覚醒ボタンが選択される、または、仮想スライダアイコンにて接触情報が存在することが検出された後、ローカルエリアネットワークとローカルエリアネットワークにアクセスしている電子デバイスとの間における予め保持された対応関係にしたがって、対象ローカルエリアネットワークにアクセスしている対象電子デバイスが、電子デバイスにより取得される。電子デバイスは覚醒指令を対象電子デバイスに送信する。これらの処理は、ハイバネーションモードに入っている覚醒させるべき電子デバイスをリモートにて覚醒させるという目的を達成し、便利さが大幅に向上する。
【０１１４】
本開示の例示的な実施の形態にかかる電子デバイスを覚醒させる装置の別の形態のブロック図を図１１に示す。本装置は、第１受信モジュール８１０と、作成モジュール８２０と、ブロードキャストモジュール８３０とを備える。
【０１１５】
第１受信モジュール８１０は、覚醒させるべき電子デバイスを覚醒させるための覚醒指令を受信するように構成されている。
【０１１６】
作成モジュール８２０は、第１受信モジュールにより受信された覚醒指令にしたがって覚醒メッセージを作成するように構成されている。
【０１１７】
ブロードキャストモジュール８３０は、作成モジュールにより作成された覚醒メッセージを、現在の対象ローカルエリアネットワークにブロードキャストするように構成されている。同じ対象ローカルエリアネットワーク内にある覚醒させるべき電子デバイスは、覚醒メッセージを受信した後、覚醒処理を実行する。
【０１１８】
上述の実施の形態において、覚醒メッセージはWi-Fi覚醒メッセージである。
【０１１９】
上述の実施の形態において、対象電子デバイスは、Wi-Fi覚醒メッセージを自動的に作成し、受信した覚醒指令にしたがって現在のローカルエリアネットワークにWi-Fi覚醒メッセージをブロードキャストしてもよい。そして、同じ対象ローカルエリアネットワーク内にある覚醒させるべき電子デバイスが、Wi-Fi覚醒メッセージを受け取った後、主MCUチップを覚醒させる。上述のプロセスは、覚醒させるべき電子デバイスをリモートにてハイバネーションモードから覚醒させるという目的を達成し、便利さが大幅に向上する。
【０１２０】
本開示の例示的な実施の形態にかかる電子デバイスを覚醒させる装置の別の形態のブロック図を図１２に示す。本装置は、第２受信モジュール９１０と、実行モジュール９２０とを備える。
【０１２１】
第２受信モジュール９１０は、ハイバネーションモードに入った後、対象電子デバイスにより送信された覚醒メッセージを受信するように構成されている。覚醒させるべき電子デバイスは、対象電子デバイスと同じ対象ローカルエリアネットワーク内にあり、覚醒メッセージは、対象電子デバイスが覚醒指令を受信した後、対象ローカルエリアネットワークにブロードキャストされるメッセージである。
【０１２２】
実行モジュール９２０は、第２受信モジュールにより受信された覚醒メッセージにしたがって、覚醒処理を実行するように構成されている。
【０１２３】
本開示の例示的な実施の形態にかかる電子デバイスを覚醒させる装置の別の形態のブロック図を図１３に示す。この実施の形態は、図１２に示される実施の形態に基づいている。第２受信モジュール９１０は、受信サブモジュール９１１を備える。
【０１２４】
受信サブモジュール９１１は、覚醒させるべき電子デバイスのWi-Fiチップを介して、対象電子デバイスにより送信された覚醒メッセージを受信するように構成されている。
【０１２５】
本開示の例示的な実施の形態にかかる電子デバイスを覚醒させる装置の別の形態のブロック図を図１４に示す。この実施の形態は、図１２に示される実施の形態に基づいている。
【０１２６】
実行モジュール９２０は、実行サブモジュール９２１を備える。
【０１２７】
実行サブモジュール９２１は、第２受信モジュールにより受信された覚醒メッセージにしたがって、覚醒させるべき電子デバイスの主MCUチップを覚醒させるように構成されている。
【０１２８】
上述の実施の形態において、覚醒させるべき電子デバイスのWi-Fiチップは、対象ローカルエリアネットワークを介して対象電子デバイスによりブロードキャストされた覚醒メッセージを受信してもよい。受信した覚醒メッセージにしたがって、覚醒させるべき電子デバイスの主MCUチップが覚醒される。これにより、覚醒させるべき電子デバイスをリモートにてハイバネーションモードから覚醒させるという目的が達成され、便利さが大幅に向上する。
【０１２９】
関連して、本開示は、電子デバイスを覚醒させる装置をさらに提供する。本装置は、
プロセッサと、
プロセッサにより実行可能な指令を格納するメモリと、を備え、
プロセッサは、
覚醒されるべき電子デバイスと同じ対象ローカルエリアネットワーク内の対象電子デバイスを取得するステップと、
覚醒指令を対象電子デバイスに送信するステップであって、対象電子デバイスが、覚醒指令にしたがって、覚醒させるべき電子デバイスを覚醒させるための覚醒メッセージを、対象ローカルエリアネットワークにブロードキャストするステップと、を実行するように構成される。
【０１３０】
関連して、本開示は、電子デバイスを覚醒させる装置をさらに提供する。本装置は、
プロセッサと、
プロセッサにより実行可能な指令を格納するメモリと、を備え、
プロセッサは、
覚醒させるべき電子デバイスを覚醒させるための覚醒指令を受信するステップと、
覚醒指令にしたがって覚醒メッセージを作成するステップと、
現在の対象ローカルエリアネットワークに覚醒メッセージをブロードキャストするステップであって、同じ対象ローカルエリアネットワーク内にある覚醒させるべき電子デバイスが、覚醒メッセージを受信した後、覚醒処理を実行するステップと、を実行するように構成される。
【０１３１】
関連して、本開示は、電子デバイスを覚醒させる装置をさらに提供する。本装置は、
プロセッサと、
プロセッサにより実行可能な指令を格納するメモリと、を備え、
プロセッサは、
ハイバネーションモードに入った後、対象電子デバイスにより送信された覚醒メッセージを受信するステップと、
覚醒メッセージにしたがって覚醒処理を実行するステップと、を実行するように構成され、
覚醒させるべき電子デバイスは、対象電子デバイスと同じ対象ローカルエリアネットワーク内にあり、覚醒メッセージは、対象電子デバイスが覚醒指令を受信した後、対象ローカルエリアネットワークにブロードキャストされるメッセージである。
【０１３２】
本開示の例示的な実施の形態にかかる電子デバイスを覚醒させる装置１５００のブロック図を図１５に示す。例えば、装置１５００は、モバイルフォン、コンピュータ、デジタル放送端末、メッセージ送受信機器、スマートパワープラグ、スマート血圧計、ゲームコントローラ、タブレット、医療デバイス、エクソサイズ機器、および携帯情報端末などのインテリジェント端末のような電子デバイスであってもよい。
【０１３３】
図１５に示すように、装置１５００は、１または複数の構成部を備えており、処理部１５０２、メモリ１５０４、電源部１５０６、マルチメディア部１５０８、音声部１５１０、入出力（Ｉ／Ｏ）インターフェース１５１２、センサ部１５１４、および、通信部１５１６を備える。
【０１３４】
処理部１５０２は、主として、装置１５００の全体的な動作、例えば、画面、電話、データ通信、カメラ動作、および記憶動作を制御する。処理部１５０２は、上述した方法において全てまたは一部のステップを行う指令を実行する１または複数のプロセッサ１５２０を含んでもよい。また、処理部１５０２は、処理部１５０２と他の構成部との間の相互作用を容易にするような１または複数のモジュールを含んでもよい。例えば、処理部１５０２は、マルチメディア部１５０８と処理部１５０２との間の相互作用を促させるマルチメディアモジュールを含んでもよい。
【０１３５】
メモリ１５０４は、装置１５００の動作を支援する様々な種類のデータを記憶する。そのようなデータの例としては、装置１５００を動作させるアプリケーションや方法のための指令、連絡先データ、電話帳データ、メッセージ、画像、動画などが含まれる。メモリ１５０４は、あらゆる種類の揮発性もしくは不揮発性メモリ装置、または、それらの組み合わせを用いることによって構成されてもよい。例えば、スタティックＲＡＭ（ＳＲＡＭ）、電気的消去可能ＰＲＯＭ（ＥＥＰＲＯＭ）、消去可能ＰＲＯＭ（ＥＰＲＯＭ）、プログラム可能型読み取り専用メモリ（ＰＲＯＭ）、読み取り専用メモリ（ＲＯＭ）、磁気メモリ、フラッシュメモリ、磁気もしくは光学ディスクであってもよい。
【０１３６】
電源部１５０６は、装置１５００の様々な構成部へ電力を供給する。電源部１５０６は、パワーマネジメントシステム、１または複数の電源、および、装置１５００の電源、パワーマネジメント、電力分配に関係するその他の構成要素を含んでもよい。
【０１３７】
マルチメディア部１５０８は、装置１５００とユーザとの間の出力インターフェースを提供する画面を含む。いくつかの実施の形態では、画面は、液晶画面（ＬＣＤ）およびタッチパネル（ＴＰ）を含んでもよい。画面がタッチパネルを含む場合には、画面はユーザからの入力信号を受け取るタッチ画面となる。タッチパネルは、タッチパネルにおけるタッチ、スワイプ、およびジェスチャーを感知する１または複数のタッチセンサを備える。タッチセンサは、タッチやスワイプ操作の境界を感知するたけでなく、タッチやスワイプ操作に関係した操作時間および圧力を感知してもよい。いくつかの実施の形態において、マルチメディア部１５０８は、フロントカメラおよび／またはリアカメラを備える。装置１５００が、撮像モードや動画モードなどオペレーションモードにある場合に、フロントカメラおよびリアカメラは外部マルチメディアデータを受け取ってもよい。フロントカメラおよびリアカメラのそれぞれは、固定光学レンズシステムであってもよく、また、ピント機能および光学ズーム機能を有していてもよい。
【０１３８】
音声部１５１０は、音声信号を出力および／または入力する。例えば、音声部１５１０は、装置１５００が、電話モード、録音モード、および音声認識モードのようなオペレーションモードにある場合に、外部音声信号を受け取るマイク（ＭＩＣ）を備える。受信した音声信号は、メモリ１５０４に記憶される、または、通信部１５１６を通じて伝送される。いくつかの実施の形態では、音声部１５１０は、音声信号を出力するスピーカをさらに備える。
【０１３９】
Ｉ／Ｏインターフェース１５１２は、処理部１５０２と周囲のインターフェースモジュールとの間のインターフェースとして、例えば、キーボード、クリックホイール、およびボタンなどとのインターフェースを提供する。ボタンとしては、限定されないが、ホームボタン、ボリュームボタン、スタートボタン、およびロックボタンを含んでもよい。
【０１４０】
センサ部１５１４は、装置１５００の様々な態様の状態評価を提供するような１または複数のセンサを含む。例えば、センサ部１５１４は、装置１５００のオープン／クローズド状態、装置１５００の構成部、例えば、画面とキーボードの相対位置、装置１５００自体または装置１５００の構成部の位置変化、装置１５００へのユーザコンタクトの有無、装置１５００の向きや加速度／減速度、および装置１５００の温度変化を検出してもよい。センサ部１５１４は、物理的接触無しで近くの対象物の存在を検出するような近接センサを含んでもよい。センサ部１５１４は、画像アプリケーションに用いられるＣＭＯＳやＣＣＤなどの光センサを含んでもよい。いくつかの実施の形態では、センサ部１５１４は、加速度センサ、ジャイロセンサ、磁気センサ、圧力センサ、または温度センサを含んでもよい。
【０１４１】
通信部１５１６は、装置１５００と他の装置との間の有線または無線の通信を行う。装置１５００は、例えば、ＷｉＦｉ、２Ｇ、もしくは３Ｇ、または、それらの組み合わせのような通信規格に基づく無線ネットワークにアクセスすることができる。１つの例示的な実施の形態において、通信部１５１６は、放送チャンネルを通じて、外部放送マネジメントシステムから放送信号または放送関連情報を受信する。１つの例示的な実施の形態において、通信部１５１６は、近距離の通信に役立つ近距離無線通信（ＮＦＣ）モジュールを含む。例えば、ＮＦＣモジュールは、無線自動識別（ＲＦＩＤ）技術、赤外線通信規格（ＩｒＤＡ）技術、超広域帯（ＵＷＢ）技術、ブルートゥース（ＢＴ）技術、および他の技術に基づくようなものであってもよい。
【０１４２】
例示的な実施の形態において、装置１５００は、上述した方法を実行するための、特定用途向け集積回路（ＡＳＩＣｓ）、デジタル・シグナル・プロセッサ（ＤＳＰｓ）、デジタル・シグナル処理装置（ＤＳＰＤｓ）、プログラム可能論理回路（ＰＬＤｓ）、フィールド・プログラマブル・ゲート・アレイ（ＦＰＧＡｓ）、コントローラ、マイクロコントローラ、マイクロプロセッサ、または他の電子構成要素によって構成されてもよい。
【０１４３】
例示的な実施の形態において、上述の方法を実行するために、一時的でないコンピュータ読み取り可能記憶媒体、例えばメモリ１５０４は、装置１５００のプロセッサ１５２０によって実行可能な指令を含む。例えば、一時的でないコンピュータ読み取り可能記憶媒体は、ＲＯＭ、ＲＡＭ、ＣＤ−ＲＯＭ、磁気テープ、磁気ディスク、光学データ記憶装置などであってもよい。
【０１４４】
当業者にとっては、本発明の他の実施形態は、ここで開示された本発明の明細書及び実施態様から明らかである。本願は、本発明の一般的原則に従い、かつ当該技術分野において知られ、又は慣行的に実施されている範囲内での本開示からの逸脱を含む、本発明の変形、使用、又は適用をカバーすることを意図している。明細書及び実施例は、例示的なもののみが考慮されているが、本発明の真の範囲及び精神は、以下の特許請求の範囲によって示されることが意図されている。
【０１４５】
上述の実施の形態は本開示の好ましい形態であり、本開示を限定して解釈されるものではなく、本発明の範囲から逸脱することなく様々な修正及び変更が可能であることは明らかである。
【図１】
2017537483.tif 000003
【図２】
2017537483.tif 000004
【図３】
2017537483.tif 000005
【図４】
2017537483.tif 000006
【図５】
2017537483.tif 000007
【図６Ａ】
2017537483.tif 000008
【図６Ｂ】
2017537483.tif 000009
【図６Ｃ】
2017537483.tif 000010
【図７】
2017537483.tif 000011
【図８】
2017537483.tif 000012
【図９】
2017537483.tif 000013
【図１０】
2017537483.tif 000014
【図１１】
2017537483.tif 000015
【図１２】
2017537483.tif 000016
【図１３】
2017537483.tif 000017
【図１４】
2017537483.tif 000018
【図１５】
2017537483.tif 000019
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
覚醒させるべき電子デバイスと同じ対象ローカルエリアネットワーク内にある対象電子デバイスを取得するステップと、
前記対象電子デバイスに覚醒指令を送信するステップであって、前記対象電子デバイスが、前記覚醒指令にしたがって、前記覚醒させるべき電子デバイスを覚醒させるための覚醒メッセージを前記対象ローカルエリアネットワークにブロードキャストするステップと、を備える、電子デバイスを覚醒させる方法。
【請求項２】
前記覚醒させるべき電子デバイスと同じ対象ローカルエリアネットワーク内にある前記対象電子デバイスを取得するステップは、
前記覚醒させるべき電子デバイスを覚醒させるための覚醒ボタンの選択が検出されたことに応じて、前記対象電子デバイスを取得するステップを含む、請求項１に記載の方法。
【請求項３】
前記覚醒ボタンは、前記覚醒させるべき電子デバイスのインターフェースを制御するための仮想ボタンである、請求項２に記載の方法。
【請求項４】
前記覚醒させるべき電子デバイスと同じ対象ローカルエリアネットワーク内にある前記対象電子デバイスを取得するステップは、
前記覚醒させるべき電子デバイスを覚醒させるためのアイコンにおける接触情報の存在が検出されたことに応じて、前記対象電子デバイスを取得するステップを含む、請求項１に記載の方法。
【請求項５】
前記アイコンは、前記覚醒させるべき電子デバイスのインターフェースを制御するための仮想スライダアイコンである、請求項４に記載の方法。
【請求項６】
前記覚醒させるべき電子デバイスと同じ対象ローカルエリアネットワーク内にある前記対象電子デバイスを取得するステップは、
ローカルエリアネットワークと前記ローカルエリアネットワークにアクセスしている電子デバイスとの間における予め保持された対応関係にしたがって、前記覚醒させるべき電子デバイスによりアクセスされている前記対象ローカルエリアネットワークを決定するステップと、
前記対応関係にしたがって、前記対象ローカルエリアネットワークにアクセスしている前記対象電子デバイスを取得するステップと、を含む、請求項１に記載の方法。
【請求項７】
覚醒させるべき電子デバイスと同じ対象ローカルエリアネットワーク内の対象電子デバイスを取得する取得モジュールと、
前記取得モジュールにより取得された前記対象電子デバイスに覚醒指令を送信する送信モジュールと、を備え、
前記対象電子デバイスは、前記覚醒指令にしたがって、前記覚醒させるべき電子デバイスを覚醒させるための覚醒メッセージを、前記対象ローカルエリアネットワークにブロードキャストする、電子デバイスを覚醒させる装置。
【請求項８】
前記取得モジュールは、前記覚醒させるべき電子デバイスを覚醒させるための覚醒ボタンの選択が検出されたことに応じて、前記対象電子デバイスを取得する第１取得サブモジュールを備える、請求項７に記載の装置。
【請求項９】
前記覚醒ボタンは、前記覚醒させるべき電子デバイスのインターフェースを制御するための仮想ボタンである、請求項８に記載の装置。
【請求項１０】
前記取得モジュールは、前記覚醒させるべき電子デバイスを覚醒させるためのアイコンにおける接触情報の存在が検出されたことに応じて、前記対象電子デバイスを取得する第２取得サブモジュールを備える、請求項７に記載の装置。
【請求項１１】
前記アイコンは、前記覚醒させるべき電子デバイスのインターフェースを制御するための仮想スライダアイコンである、請求項１０に記載の装置。
【請求項１２】
前記取得モジュールは、
ローカルエリアネットワークと前記ローカルエリアネットワークにアクセスしている電子デバイスとの間における予め保持された対応関係にしたがって、前記覚醒させるべき電子デバイスによりアクセスされている前記対象ローカルエリアネットワークを決定する決定サブモジュールと、
前記対応関係にしたがって、前記決定サブモジュールにより決定された前記対象ローカルエリアネットワークにアクセスしている前記対象電子デバイスを取得する第３取得サブモジュールと、を備える、請求項７に記載の装置。
【請求項１３】
プロセッサと、
前記プロセッサにより実行可能な指令を格納するメモリと、を備え、
前記プロセッサは、
覚醒されるべき電子デバイスと同じ対象ローカルエリアネットワーク内の対象電子デバイスを取得するステップと、
覚醒指令を前記対象電子デバイスに送信するステップであって、前記対象電子デバイスが、前記覚醒指令にしたがって、前記覚醒させるべき電子デバイスを覚醒させるための覚醒メッセージを、前記対象ローカルエリアネットワークにブロードキャストするステップと、を実行する、電子デバイスを覚醒させる装置。
【請求項１４】
コンピュータ上で実行された際に、請求項１から６のいずれか１つに記載の電子デバイスを覚醒させる方法を前記コンピュータに実行させる、コンピュータプログラム。
【請求項１５】
請求項１４に記載のコンピュータプログラムが記憶されたコンピュータ読み取り可能媒体。
【国際調査報告】
2017537483.tif 000020
2017537483.tif 000021
2017537483.tif 000022
2017537483.tif 000023